(57)【要約】【課題】  小型の映像表示装置と拡大レンズを内蔵した小窓付きカプセルを内装した望遠鏡形式又は双眼鏡形式のユニットをデジタルカメラに装備し、更に上記双眼鏡形式のカメラを両眼の前面に装備したハイブリッド光学装置を提供する。【解決手段】  内部を覗ける小窓を有し小型の映像表示装置と拡大鏡を内蔵した暗室カプセルを用意し、上記映像表示装置に表示されるカメラの映像等を拡大レンズで拡大して見えるようにする。次に上記カプセルを内装した上記望遠鏡形式のユニット又は双眼鏡形式のユニットを上記デジタルカメラに装備すれば望遠鏡又は双眼鏡付きのカメラとなり、又上記双眼鏡付きカメラを両眼の前面に眼鏡状フレームで担持すればカメラと双眼鏡を備えた眼鏡形式のハイブリッド光学装置となる。【選択図】  図１３
0003105366.tif 000002
【実用新案登録請求の範囲】
【請求項１】
内部を覗いて見ることが出来る窓を有し拡大レンズ及び映像表示装置を内蔵した暗室カプセルの前記映像表示装置に電気的に表示される映像を前記窓を覗き前記拡大レンズで拡大して見ることが出来る望遠鏡ユニットによりデジタルカメラ用撮影レンズを系着した筐体を担持した望遠鏡形式のハイブリッド光学装置であって、前記カプセルを内装し且つ眼球で内部を覗いて見ることが出来る前記窓を１側面に配置した望遠鏡ユニットと、前記望遠鏡ユニットの前記１側面に対峙する部位で担持した前記筐体と、前記撮影レンズの撮影映像を含む前記映像又は前記映像に重畳した映像と、前記眼球で前記映像を前記望遠鏡ユニットの窓を覗き見ることができることを特徴とする望遠鏡形式のハイブリッド光学装置。
【請求項２】
内部を覗いて見ることが出来る窓を有し拡大レンズ及び映像表示装置を内蔵した暗室カプセルの前記映像表示装置に電気的に表示される映像を前記窓を覗き前記拡大レンズで拡大して見ることが出来る双眼鏡ユニットによりデジタルカメラ用撮影レンズを系着した筐体を担持した双眼鏡形式のハイブリッド光学装置であって、一対の前記カプセル又は単一の前記映像表示装置を共有して内臓し且つ前記拡大レンズをそれぞれに内蔵する一対の前記カプセルと、いずれかの前記一対のカプセルを内装し且つ左右眼球で同時に内部を覗いて見ることが出来るそれぞれの前記窓を１側面に配置した双眼鏡ユニットと、前記双眼鏡ユニットの前記１側面に対峙する部位で担持した前記筐体と、前記撮影レンズの撮影映像を含む前記映像又は前記映像に重畳した映像と、前記左右眼球で前記双眼鏡ユニットのそれぞれの窓を覗き前記映像を同時に見ることができることを特徴とする双眼鏡形式のハイブリッド光学装置。
【請求項３】
請求項２記載の映像を左右眼球で覗くことが出来る窓を有する双眼鏡ユニットを担持した眼鏡形式のハイブリッド光学装置であって、前記左右眼球で前記それぞれの窓が覗けるよう前記双眼鏡ユニットを担持した眼鏡状フレームと、前記左右眼球で前記双眼鏡ユニットのそれぞれの窓を覗き前記映像を同時に見ることができることを特徴とする眼鏡形式のハイブリッド光学装置。
【考案の詳細な説明】
【技術分野】
【０００１】
本考案は、デジタルカメラを映像表示装置と撮影レンズを系着した筐体とに分離し上記映像表示装置の代わりに小型の映像表示装置と拡大レンズを内蔵し且つ内部を覗ける小窓を有する暗室カプセルを内装した望遠鏡形式のユニット又は一対の上記カプセルを内装した双眼鏡形式のユニットとし、それぞれの上記ユニットの先頭部に上記筐体を装備する。そして上記筐体に系着した撮影レンズの撮影映像等を上記小型の映像表示装置に電気的に表示しその映像を上記拡大レンズで拡大し上記窓を覗いて見ることが出来る望遠鏡形式又は双眼鏡形式のハイブリッド光学装置と、左右眼球で上記小窓が覗けるよう上記双眼鏡ユニットを眼鏡状フレームで担持した眼鏡形式のハイブリッド光学装置に関する。
【背景技術】
【０００２】
従来、小型デジタルカメラの映像表示装置は当然ながら面積が狭く、ズーム・インした映像もその映像表示装置に表示される。又テレビジョン等は液晶等による映像表示装置が使用されるが画面の広さに応じ設置場所が必要である。更に又眼球の遠近視力を補正するための従来の眼鏡は光学的レンズによるため遠近距離に応じて視点位置が若干異なり、双眼鏡のように拡大した映像を提供するものではない。又従来のカメラは手で支えるか三脚を使用して使用されるが手振れをしたり、撮影チャンスを逃したりすることもある。
【考案の開示】
【考案が解決しようとする課題】
【０００３】
本考案は、このような従来の装置が有している問題を解決するものであり、第１の課題としては従来のデジタルカメラを映像表示装置と撮影レンズを系着した筐体部分とに分離し、上記映像表示装置の代わりに小型の映像表示装置と拡大レンズを内蔵し且つ眼球で内部が覗ける小窓を有した暗室カプセルを用意し、上記小型の映像表示装置に電気的に表示される映像を上記拡大レンズで拡大し上記小窓を覗いて見ることが出来るようにする。このカプセルは望遠鏡形式のユニットに内装するか、一対の上記カプセルを双眼鏡形式のユニットに内装する。又、上記撮影レンズを系着した筐体は上記それぞれのユニットの前頭部で担持する。この装置を使用するときは上記それぞれのユニットの一側面に配置した小窓を覗き上記小型の映像表示装置で表示した撮影映像等を上記拡大レンズで拡大して見ることが出来るようにする。従ってこの装置により拡大された広い画面の映像を場所を取らずに見ることが出来る。第２の課題としては左右眼球の前面に上記小窓を配置した双眼鏡ユニットを担持し、上記撮影レンズを係着した筐体は上記双眼鏡ユニットの先頭部に担持することにより上記撮影レンズの撮影映像等を上記双眼鏡ユニット内の映像表示装置に表示し、その映像を上記拡大レンズで拡大し上記窓を通じて見ることが出来るようにする。上記装置を使用するときは上記撮影レンズの撮影映像等を上記小型の映像表示装置で表示することにより眼鏡の代わりとし、カメラのズーム機能で拡大して見ることが出来、撮影することが出来、又録画映像、テレビジョン等の映像も見ることが出来る。
【課題を解決するための手段】
【０００４】
そして、先ず第１の課題である望遠鏡形式の解決手段としては、内部を覗いて見ることが出来る窓を有し拡大レンズ及び映像表示装置を内蔵した暗室カプセルの前記映像表示装置に電気的に表示される映像を上記窓を覗き前記拡大レンズで拡大して見ることが出来る望遠鏡ユニットによりデジタルカメラ用撮影レンズを系着した筐体を担持した望遠鏡形式のハイブリッド光学装置であって、上記カプセルを内装し且つ眼球で内部を覗いて見ることが出来る上記窓を１側面に配置した望遠鏡ユニットと、上記望遠鏡ユニットの上記１側面に対峙する部位で担持した上記筐体と、上記撮影レンズの撮影映像を含む上記映像又は上記映像に重畳した映像と、上記眼球で上記映像を上記望遠鏡ユニットの窓を覗き見ることができる望遠鏡形式のハイブリッド光学装置を提案する。
【０００５】
次に双眼鏡形式の解決手段としては、内部を覗いて見ることが出来る窓を有し拡大レンズ及び映像表示装置を内蔵した暗室カプセルの上記映像表示装置に電気的に表示される映像を上記窓を覗き上記拡大レンズで拡大して見ることが出来る双眼鏡ユニットによりデジタルカメラ用撮影レンズを系着した筐体を担持した双眼鏡形式のハイブリッド光学装置であって、一対の上記カプセル又は単一の上記映像表示装置を共有して内臓し且つ上記拡大レンズをそれぞれに内蔵する一対の上記カプセルと、いずれかの上記一対のカプセルを内装し且つ左右眼球で同時に内部を覗いて見ることが出来るそれぞれの上記窓を１側面に配置した双眼鏡ユニットと、上記双眼鏡ユニットの上記１側面に対峙する部位で担持した上記筐体と、上記撮影レンズの撮影映像を含む上記映像又は上記映像に重畳した映像と、上記左右眼球で上記双眼鏡ユニットのそれぞれの窓を覗き上記映像を同時に見ることができる双眼鏡形式のハイブリッド光学装置を提案する。
【０００６】
また、第２の解決手段としては、上記映像を左右眼球で覗くことが出来る窓を有する双眼鏡ユニットを担持した眼鏡形式のハイブリッド光学装置であって、上記左右眼球で上記それぞれの窓が覗けるよう上記双眼鏡ユニットを担持した眼鏡状フレームと、上記左右眼球で上記双眼鏡ユニットのそれぞれの窓を覗き上記映像を同時に見ることができる眼鏡形式のハイブリッド光学装置を提案する。本ハイブリッド光学装置は眼鏡状フレーム、ヘッド・バンド、キャップ、帽子、ヘルメット等に装着して使用することが出来る。
【０００７】
尚上記眼鏡形式のハイブリッド光学装置は、眼球で見える視界の一部を通して小窓を配備した双眼鏡ユニット周辺の視界も同時に見えるようにする。眼球の全てを覆う窓を有する双眼鏡ユニットならば上記映像表示装置に表示される映像を広く見ることが出来るが、移動しながらでも広範囲に外部の視界を確保しつつ尚且つ上記ユニット内の映像も見ることが出来るようにして安全に目的を達成するためである。
【０００８】
又上記カプセルは眼球で覗ける窓を有し拡大レンズと映像表示装置を内臓した暗室カプセルとしたが、上記カプセルと同様な暗室空間と機能が確保できればカプセルに拘らない。
【考案の効果】
【０００９】
上記望遠鏡ユニット形式又は双眼鏡ユニット形式のハイブリッド光学装置は、望遠鏡形式又は双眼鏡形式で広い画面を見ながら撮影でき、その録画の再生映像を見ることが出来る。又スタンド上に設置し机上でも使用できるようにすれば、手で支えなくても録画の再生、プリント、インターネット、携帯電話等との接続による送受信、テレビジョン等の受信にも使用できる。
【００１０】
左右眼球で内部を覗くことが出来る小窓を有する上記双眼鏡ユニットを配備した眼鏡形式のハイブリッド装置は、手振れなく、一々手でカメラを構えファインダを覗かなくとも随時タイムリな撮影が出来る。
【００１１】
両眼球の正面位置に上記一対の小窓を配置した双眼鏡ユニットを担持するときは、両眼球を通して見える視界範囲の中心位置に存在する被写体の映像を上記一対の窓を通じて見ることが出来るので、従来の光学レンズを使用した遠近両用の眼鏡とは異なる眼鏡として、カメラのファインダとして、ズーム機能を使用すれば双眼鏡としてとして使用できる。更に上記映像表示装置に表示される撮影レンズで撮影した映像に重畳した映像を情報として見ることが出来る。
【００１２】
又、両眼球を通して見える視界範囲の上半分は通常の視界とし、下半分に上記一対の窓を配置した双眼鏡ユニットを担持するときは、上記上半分は広範囲に亙る視界範囲の中心位置にある被写体を見ながら下半分ではその被写体の映像を上記一対の窓を通じ見ることが出来る。従って上記被写体とその被写体映像を比較しながら肉眼の遠近補正用の眼鏡として、カメラのファインダとして、ズーム機能を使用すれば双眼鏡として、更に上記映像表示装置に表示される撮影レンズで撮影した映像以外のその他の映像又はそれらの映像に重畳した映像を情報として見ることが出来る。
【００１３】
上記撮影レンズで撮影した映像及びその録画による再生映像以外の映像としては、テレビジョン、インターネット、携帯電話、GPS、ゲーム等による有線・無線による受信装置からの映像や、その他の録画の再生映像が挙げられる。
【００１４】
その他、インターネットや携帯電話に接続し相互の映像を送受信すれば情報量が倍増する。
【００１５】
尚上記眼鏡形式のハイブリッド光学装置を使用するときは、上記双眼鏡ユニット周辺の視界も同時に見ることが出来るので安全に移動出来できる。
【考案を実施するための最良の形態】
【００１６】
以下、本考案の実施形態を図１〜２３に基づいて説明する。
【実施例１】
【００１７】
図1〜図５は望遠鏡形式のハイブリッド光学装置に対する図であって、２はデジタルカメラ用の筐体で、筐体２の一面にはデジタルカメラ用撮影レンズ１とマイク５とフラッシュ６を系着する。また、望遠鏡ユニット３８の1面に覗き窓２７を配備し上記1面の対峙部位では筐体２を担持する。上記覗き窓２７はカプセル８に内蔵してある映像表示装置１４に表示される映像を拡大レンズ３で覗き拡大して見えるよう配備し、外部からの光を防止する為フード２４を取り付ける。カプセル8は望遠鏡ユニット３８に内装する。筐体２の上面にはコントローラ７を配置する。コントローラ７は電源のオン／オフ・スイッチ、ズーム制御器、シャッタ・スイッチおよび撮影映像の再生・スイッチを総合したユニットである。
【００１８】
コントローラ７は図２のように筐体２の上面又は下面に装着し、片手で持ち操作できれば利便性が増す。図３（a）は覗き窓２７で被写体映像３２を覗き拡大レンズ３で見ている図２の正面図であり、図（b）は側面より見た説明図である。図４はカプセル８に内蔵してある映像表示装置１４に表示される被写体映像３２を拡大して見るための拡大レンズ３の位置関係と、筐体２に系着している撮影レンズ１の位置関係を示す図３のA―A断面図である。図５も同じく映像表示装置１４の被写体映像３２を反射鏡１５で反射して拡大レンズ３で見えるようにした図３の断面図A-Aである。この方法は望遠鏡ユニット３８をより短小にするに有利である。
【００１９】
上記望遠鏡形式のハイブリッド光学装置を使用するときは撮影レンズ1を被写体に照準し覗き窓２７で被写体映像３２を見ながらコントローラ７を操作する。ズーム制御器を操作すれば望遠鏡の役目を果たすと共にデジタルカメラとしての役目も果たす。尚片手で持ち操作できるようにすれば利便性がます。
【実施例２】
【００２０】
図６〜１２は双眼鏡形式のハイブリッド光学装置に対する図であって、双眼鏡ユニット２２の1面に一対の覗き窓２７を配備し上記1面の対峙部位で撮影レンズ1を系着した筐体２を担持する。一対の覗き窓２７は一対のカプセル８に内蔵してある映像表示装置１４に表示される映像を拡大レンズ３で拡大して見えるよう配置する。上記一対のカプセル8は双眼鏡ユニット２２に内装されている。図７は縦長の双眼鏡ユニットを、図８は幅広の双眼鏡ユニットを着脱自在なスタンド９に装着した外観図であり、簡単に手の届く把手４にコントローラ７を配置したが簡便、迅速に操作できれば位置に拘らない。図９（a）は双眼鏡ユニット２２の正面図であり、図１０〜１２は図９（a）の断面図B-Bである。映像表示装置１４と拡大レンズ３を内蔵した一対のカプセル８を双眼鏡ユニット２２に内装した断面図である。一対の覗き窓２７は双眼鏡ユニット２２の一面に配置しその対峙部位に撮影レンズ1を系着した筐体２を担持する。図１１はカプセル８を縦方向に直線的に長い構造とした場合である。縦方向に長い構造は片手で迅速に操作出来る利点がある。尚図１０は映像表示装置１４を共有したカプセル８を示す。装置を簡素化するためである。図１２は映像表示装置１４で表示される被写体映像３２を反射器１５で反射しその反射映像を拡大レンズ３で観察する断面図である。横に幅広の構造となり両手で支えて操作するに便利である。
【００２１】
上記双眼鏡形式のハイブリッド光学装置を使用するときは把手４を手で持ちコントローラ７の電源をオンにし、覗き窓２７で被写体に照準しズーム制御器で映像を観察し、シャッタ・スイッチを押し撮影する。映像制御器１0は着脱任意とし必要なときのみ使用する。映像表示器１０は外部の映像表示信号を本ハイブリッド光学装置に取り入れるための中継用端末である。外部の映像装置としては録画の再生装置、テレビジョン等である。イヤーホーン４３は映像を観察しながら同時に音を聞くために使用する。図８は本ハイブリッド光学装置を机上で着脱自在なスタンド９に装着して使用する場合の説明図である。充電器付きスタンド９とし机上で使用すれば利便性が増す。
【実施例３】
【００２２】
図１３〜１８は眼鏡形式のハイブリッド光学装置に対する図である。１７は主に眼鏡状の弦１９と透明版２０及び双眼鏡ユニット２２を担持する担持ホルダ２８から成る眼鏡状フレームであり、一対の覗き窓２７を一面に配置し、一対のカプセル８を内装した双眼鏡ユニット２２と、双眼鏡ユニット２２で担持した筐体２と、映像制御器１０はコントローラ７を兼ねた合わせた図で示す。
【００２３】
図１３における眼鏡状フレーム１７は弦１９で眼鏡状に掛ける構造であり、担持アーム２８で上記双眼鏡ユニット２２を担持する。眼鏡状フレーム１７の上部位置ではマイク５やフラッシ６を配置した補助筐体３０を装備する。撮影レンズ１を系着した筐体２を出来るだけ小型化し機能的な構造とするためである。担持アーム２８で可動するよう担持された筐体２は上下に回動できる。透明版２０を通して見える被写体と撮影レンズ１で照準した被写体映像３２を整合させる為である。図１４は内側より見た上記装置の外観図であり、覗き窓用スペース３１を通して双眼鏡ユニット２２の覗き窓２７を覗くことが出来る。図16（a）は眼鏡状フレーム１７の正面図であり、リード線２６は眼鏡状フレーム１７の外縁に沿って補助筐体３０から双眼鏡ユニット２２に内蔵の映像表示装置１４に接続する。撮影レンズ１の映像信号の送受信用と電源を確保する為である。図１７（a）は双眼鏡ユニット２２の外観図であり、双眼鏡ユニット２２の一面は一対の覗き窓２７が配置されており、その一面の対峙部位には撮影レンズ１を系着した筐体２が担持されている。図（b）は、眼球１６で視界と映像表示装置１４の被写体映像３２を拡大レンズ３で見ている視線方向を示す説明図である。矢印は視線方向を示す。２９は双眼鏡ユニット２２を可動するよう担持する可動軸であり、リード線２６の通過用ホールを兼ねる。
【００２４】
以下、上記構成の使用を説明する。本ハイブリッド光学装置を眼鏡状に掛け、図１４の映像制御器１０の電源をオンにし、覗き窓２７で被写体に照準し、必要ならば双眼鏡ユニット２２を上下に回動させ被写体に照準し、ズーム制御器で映像を観察し、シャッタ・スイッチを押し撮影する。
【００２５】
図１８はヘッド・バンド３３に蝶番３６で眼鏡状フレーム１７を吊設した眼鏡形式ののハイブリッド光学装置である。３３のヘッド・バンドに筐体２、太陽電池パネル３４、蓄電器３５、コントローラ７、アンテナ３９、透明板２０と双眼鏡ユニット２２を装備する。眼鏡状フレーム17は蝶番３６で透明板２０を上下にに回動できるように吊着する。眼鏡状フレーム１７は担持アーム２８の先端で担持した可動軸受け２５で双眼鏡ユニット２２が可動できるよう担持する。またアンテナ３９はテレビジョン等の受信映像用に使用する。充電器３５は太陽電池パネルからの充電も兼ね、コントローラ７に手を伸ばせば電源のオン・オフ、ズーム制御、シャッタ、録画再生が出来るようにする。映像制御器１0は着脱任意とし必要なときのみ使用する。その他、上記構成の使用方法は図６〜１７の眼鏡形式のハイブリッド光学装置と同じである。
【００２６】
尚、ヘッド・バンド３３の代わりに帽子、キャップ、ヘルメットも使用出来る。
【００２７】
図１９はカプセル８に内蔵した映像表示装置１４に表示される被写体映像３２を拡大レンズ３で拡大して見るための説明図である。映像表示装置１４に表示される被写体映像３２の高さH1の正立・虚像はH2である。拡大レンズ３から映像表示装置１４に表示される被写体映像３２の映像H1までの距離をX、焦点距離をｆ、被写体映像３２を拡大レンズ３で拡大したH2までの映像距離をDとすればX＜ｆの条件で、倍率はD/fで表されカプセルの規模を判断することが出来る。
【００２８】
図２０〜図２３は眼鏡形式のハイブリッド光学装置を使用する場合の被写体映像３２と視界４０との関わり合いを説明する図である。
【００２９】
図２０（a）は上記装置を装着し眼球１６で正面の視界範囲４０の中心位置にある被写体４１が撮影レンズ１により撮影された被写体映像３２が双眼鏡ユニット２２内の映像表示装置１４に映し出されることを説明した側面図である。図２０（b）は正面図である。
【００３０】
図２１は上記装置を装着し眼球１６の正面位置で双眼鏡ユニット２２の拡大レンズ３を覗いている状態で、視界範囲４０、被写体４１、双眼鏡ユニット２２内の映像表示装置１４に表示される被写体映像３２を立体的に表示した説明図である。
【００３１】
図２２に於いて、４１は視界範囲４０内の被写体であり、上記装置を掛けて左右眼球１６の正面方向の下部に双眼鏡ユニット２２の覗き窓２７がある状態で、覗き窓２７を覗くと映像表示装置１４の映像範囲４２に表示される被写体４１を拡大レンズ３で拡大した被写体映像３２が見える。従って、被写体４１と被写体映像３２を交互に見ることが出来る。図２０〜２１は双眼鏡ユニット２２の覗き窓２７が左右眼球１６の正面方向にある状態なので上記状態と異なる。
【００３２】
図２２（a）は視界範囲4０内の被写体４１を見るとその被写体４１の被写体映像３２が撮影レンズ１により撮影されその映像が双眼鏡ユニット２２内の映像表示装置１４に表示される様子を説明した側面図である。図２２（b）は正面図である。
【００３３】
図２３は上記装置を装着し左右眼球１６の正面方向の下部に双眼鏡ユニット２２の覗き窓２７がある状態で、視界範囲４０、被写体４１、双眼鏡ユニット２２内の映像表示装置１４に映し出される映像３２を立体的に表示した説明図である。
【図面の簡単な説明】
【００３４】
【図１】望遠鏡形式によるハイブリッド光学装置の前面外観図。
【図２】図１の内面外観図。
【図３】（a）は図２の正面図、図（b）はその側面より見た説明図。
【図４】（a）は図３（a）の断面図A-A。
【図５】（a）は図３（a）の断面図A-A。
【図６】双眼鏡形式によるハイブリッド光学装置の前面外観図。
【図７】図６の内面外観図。
【図８】スタンド９に装着した図６の内面外観図。
【図９】（a）は双眼鏡形式によるハイブリッド光学装置の正面図、図（b）は    側面図。
【図１０】（a）は図９（a）における断面図B-B。
【図１１】（a）は図９（a）における断面図B-B。
【図１２】（a）は図９（a）における断面図B-B。
【図１３】眼鏡形式によるハイブリッド光学装置の前面外観図。
【図１４】図１３の内面外観図。
【図１５】（a）は図１３の正面図、図（b）は側面の説明図。
【図１６】（a）はフレーム１７の正面図、図（b）は側面図。
【図１７】（a）は双眼鏡ユニット２２で筐体２を担持した前面外観図、    図（b）は側面より見た説明図。
【図１８】ヘッド・バンド３３で眼鏡状フレーム１７を吊設した前面外観図。
【図１９】被写体映像３２を拡大レンズ３で拡大する機能説明図。
【図２０】（a）は眼球１６の正面方向に双眼鏡ユニット２２を担持した説明図、      図（b）は正面図。
【図２１】図２０の立体説明図。
【図２２】（a）は眼球１６の正面下部に双眼鏡ユニット２２を担持した説明図、    図（b）は正面図。
【図２３】図２３の立体説明図。
【符号の説明】
【００３５】
１  撮影レンズ
２  筐体
３  拡大レンズ
４  把手
５  マイク
６  フラッシュ
７  コントローラ
８  カプセル
９  スタンド
１０  映像制御器
１１  映像切替スイッチ
１２  シャッタ
１３  リード線A
１４  映像表示装置
１５  反射器
１６  眼球
１７  眼鏡状フレーム
１８  鎧
１９  弦
２０  透明板
２１  眼球保護板
２２  双眼鏡ユニット
２３  鼻パッド
２４  フード
２５  可動軸受け
２６  リード線B
２７  覗き窓
２８  担時アーム
２９  可動軸
３０  補助筐体
３１  覗き窓用スペース
３２  被写体映像
３３  ヘッド・バンド
３４  太陽電池パネル
３５  蓄電器
３６  蝶番
３７  イヤーホーン
３８  望遠鏡ユニット
３９  アンテナ
４０  視界範囲
４１  被写体
４２  映像範囲
【図１】
0003105366.tif 000003
【図２】
0003105366.tif 000004
【図３】
0003105366.tif 000005
【図４】
0003105366.tif 000006
【図５】
0003105366.tif 000007
【図６】
0003105366.tif 000008
【図７】
0003105366.tif 000009
【図８】
0003105366.tif 000010
【図９】
0003105366.tif 000011
【図１０】
0003105366.tif 000012
【図１１】
0003105366.tif 000013
【図１２】
0003105366.tif 000014
【図１３】
0003105366.tif 000015
【図１４】
0003105366.tif 000016
【図１５】
0003105366.tif 000017
【図１６】
0003105366.tif 000018
【図１７】
0003105366.tif 000019
【図１８】
0003105366.tif 000020
【図１９】
0003105366.tif 000021
【図２０】
0003105366.tif 000022
【図２１】
0003105366.tif 000023
【図２２】
0003105366.tif 000024
【図２３】
0003105366.tif 000025